(57)【要約】【課題】ＤＡ変換器の温度を高まりにくくすることができるオゾン発生装置を提供する。【解決手段】オゾン発生装置は、空気を乾燥させるドライヤー４２と、ドライヤー４２の乾燥させた空気を用いてオゾンを生成するオゾン発生器４３と、直流電圧から交流電圧を生成して交流電圧をオゾン発生器４３に印加するＤＡ変換器４６と、を備える。オゾン発生器４３は、空気の流れる流路において、空気の流れる方向である流通方向にてドライヤー４２よりも下流に位置し、ＤＡ変換器４６は、流路にてドライヤー４２よりも下流、かつ、オゾン発生器４３を超えない部位に位置する。【選択図】図３
2015160798.tif 000002
【特許請求の範囲】
【請求項１】
空気を乾燥させるドライヤーと、
前記ドライヤーの乾燥させた前記空気を用いてオゾンを生成するオゾン発生器と、
直流電圧から交流電圧を生成して前記交流電圧を前記オゾン発生器に印加するＤＡ変換器と、を備え、
前記オゾン発生器は、前記空気の流れる流路において、前記空気の流れる方向である流通方向にて前記ドライヤーよりも下流に位置し、
前記ＤＡ変換器は、前記流路にて前記ドライヤーよりも下流、かつ、前記オゾン発生器を超えない部位に位置する
オゾン発生装置。
【請求項２】
前記オゾン発生器は、オゾンを生成する空間を有し、
前記ＤＡ変換器は、
前記流路のうち、前記ドライヤーから前記オゾン発生器の前記空間に向かう部分の途中に位置する
請求項１に記載のオゾン発生装置。
【請求項３】
前記流路は、
前記ドライヤーと前記オゾン発生器とが位置する主流路と、前記主流路から分岐した分岐流路とを含み、
前記ＤＡ変換器は、前記分岐流路に位置する
請求項１または２に記載のオゾン発生装置。
【請求項４】
前記空気を前記空気よりも酸素の濃度が高い酸素富化空気と、前記空気よりも窒素の濃度が高い窒素富化空気とに分ける酸素富化器をさらに備え、
前記酸素富化空気と前記窒素富化空気とのうち、前記酸素富化空気が前記オゾンの生成に用いられ、
前記酸素富化器は、前記流通方向にて前記ドライヤーよりも下流、かつ、前記オゾン発生器よりも上流に位置し、
前記分岐流路は、前記窒素富化空気を前記酸素富化器から前記ドライヤーに向けて流す窒素富化空気流路であり、
前記ＤＡ変換器は、前記窒素富化空気流路に位置する
請求項３に記載のオゾン発生装置。
【請求項５】
前記ＤＡ変換器に前記直流電圧を供給する電源であって、前記流路における前記ドライヤーよりも下流、かつ、前記オゾン発生器を超えない部位に位置する前記電源と、
前記電源の内部を通って、前記電源を冷却する冷媒の流れる冷却流路と、をさらに備える
請求項１から４のいずれか一項に記載のオゾン発生装置。
【発明の詳細な説明】
【技術分野】
【０００１】
本開示の技術は、空気中の酸素を用いてオゾンを生成するオゾン発生装置に関する。
【背景技術】
【０００２】
空気中の酸素を用いてオゾンを生成するオゾン発生装置が知られている。オゾン発生装置は、例えば、車両に搭載された排気浄化システムに含まれ、排気に含まれる一酸化窒素を酸化するためのオゾンを生成する。排気に含まれる一酸化窒素は、オゾンによって二酸化窒素に酸化され、選択還元触媒にて窒素に還元される（例えば、特許文献１参照）。
【先行技術文献】
【特許文献】
【０００３】
【特許文献１】特開２０１３−１０６４７号公報
【発明の概要】
【発明が解決しようとする課題】
【０００４】
ところで、オゾン発生装置は、交流電圧の印加によってオゾンを生成するオゾン発生器を備えている。オゾン発生器に印加される交流電圧は、スパークギャップスイッチ、ロータリースパークギャップスイッチ、および、テスラコイルなどのＤＡ変換器によって直流電圧から生成される。交流電圧をＤＡ変換器が生成するとき、ＤＡ変換器は、変換後の電圧の周波数に応じてオンの状態とオフの状態とを交互に繰り返す。そのため、ＤＡ変換器では、ＤＡ変換器がオフの状態からオンの状態に変わるたびに熱が発生する。それゆえに、ＤＡ変換器の機能を保つためには、ＤＡ変換器の温度を高まりにくくすることが求められる。
【０００５】
本開示の技術は、ＤＡ変換器の温度を高まりにくくすることができるオゾン発生装置を提供することを目的とする。
【課題を解決するための手段】
【０００６】
本開示の技術におけるオゾン発生装置の一態様は、空気を乾燥させるドライヤーと、前記ドライヤーの乾燥させた前記空気を用いてオゾンを生成するオゾン発生器と、直流電圧から交流電圧を生成して前記交流電圧を前記オゾン発生器に印加するＤＡ変換器と、を備える。前記オゾン発生器は、前記空気の流れる流路において、前記空気の流れる方向である流通方向にて前記ドライヤーよりも下流に位置し、前記ＤＡ変換器は、前記流路にて前記ドライヤーよりも下流、かつ、前記オゾン発生器を超えない部位に位置する。
【０００７】
本開示の技術におけるオゾン発生装置の一態様によれば、ドライヤーにより乾燥された空気の流通によってＤＡ変換器が冷却されるため、ＤＡ変換器の温度を高まりにくくすることができる。
【０００８】
本開示の技術におけるオゾン発生装置の他の態様において、前記オゾン発生器は、オゾンを生成する空間を有し、前記ＤＡ変換器は、前記流路のうち、前記ドライヤーから前記オゾン発生器の前記空間に向かう部分の途中に位置する。
【０００９】
本開示の技術におけるオゾン発生装置の他の態様によれば、ＤＡ変換器を冷却するための構造として、オゾン発生器と並列に設けられて、オゾン発生器を迂回する流路や、オゾン発生器と並列に設けられて、かつ、外部に繋がる流路を備える構成と比べて、オゾン発生装置が大型化することが抑えられる。
【００１０】
本開示の技術におけるオゾン発生装置の他の態様において、前記流路は、前記ドライヤーと前記オゾン発生器とが位置する主流路と、前記主流路から分岐した分岐流路とを含み、前記ＤＡ変換器は、前記分岐流路に位置する。
【００１１】
本開示の技術におけるオゾン発生装置の他の態様によれば、ＤＡ変換器が分岐流路に位置するため、流路の途中にＤＡ変換器が位置しても、オゾン発生器でのオゾンの生成が、ＤＡ変換器によって影響されにくくなる。
【００１２】
本開示の技術におけるオゾン発生装置の他の態様において、前記空気を前記空気よりも酸素の濃度が高い酸素富化空気と、前記空気よりも窒素の濃度が高い窒素富化空気とに分ける酸素富化器をさらに備える。前記酸素富化空気と前記窒素富化空気とのうち、前記酸素富化空気が前記オゾンの生成に用いられ、前記酸素富化器は、前記流通方向にて前記ドライヤーよりも下流、かつ、前記オゾン発生器よりも上流に位置し、前記分岐流路は、前記窒素富化空気を前記酸素富化器から前記ドライヤーに向けて流す窒素富化空気流路であり、前記ＤＡ変換器は、前記窒素富化空気流路に位置する。
【００１３】
本開示の技術におけるオゾン発生装置の他の態様によれば、オゾンの生成に用いられない窒素富化空気によってＤＡ変換器が冷却される。そのため、ＤＡ変換器を冷却することによって、オゾン発生器でのオゾンの生成が影響されにくくなる。
【００１４】
本開示の技術におけるオゾン発生装置の他の態様に置いて、前記ＤＡ変換器に前記直流電圧を供給する電源であって、前記流路における前記ドライヤーよりも下流、かつ、前記オゾン発生器を超えない部位に位置する前記電源と、前記電源の内部を通って、前記電源を冷却する冷媒の流れる冷却流路と、をさらに備える。
【００１５】
本開示の技術におけるオゾン発生装置の他の態様によれば、電源が、ドライヤーによって乾燥された空気の流路を構成するため、電源の内部の雰囲気における露点を低くすることができる。それゆえに、電源を冷却する冷却流路が電源の内部を通っても、冷却流路に結露が生じることが抑えられる。結果として、結露による漏電が抑えられながら、電源が冷却される。
【図面の簡単な説明】
【００１６】
【図１】本開示のオゾン発生装置を具体化した第１実施形態が搭載されるエンジンの概略構成を制御装置とともに示す構成図である。
【図２】第１実施形態におけるオゾン発生装置の概略構成を示すブロック図である。
【図３】第１実施形態におけるオゾン発生装置の一部構成を示すブロック図である。
【図４】本開示のオゾン発生装置を具体化した第２実施形態におけるオゾン発生装置の概略構成を示すブロック図である。
【図５】第２実施形態の変形例におけるオゾン発生装置の概略構成を示すブロック図である。
【図６】第２実施形態の変形例におけるオゾン発生装置の概略構成を示すブロック図である。
【図７】本開示のオゾン発生装置を具体化した第３実施形態におけるオゾン発生装置の概略構成を示すブロック図である。
【図８】第３実施形態の変形例におけるオゾン発生装置の概略構成を示すブロック図である。
【図９】他の変形例におけるオゾン発生装置の概略構成を示すブロック図である。
【発明を実施するための形態】
【００１７】
［第１実施形態］
図１から図３を参照して本開示のオゾン発生装置を具体化した第１実施形態を説明する。以下では、オゾン発生装置が搭載されるエンジンの構成、オゾン発生装置の構成、オゾン発生器の構成、および、オゾン発生装置の作用を順番に説明する。なお、第１実施形態では、ＤＡ変換器がロータリースパークギャップスイッチである例を説明する。
【００１８】
［エンジンの概略構成］
図１を参照してエンジンの構成を説明する。
図１が示すように、エンジン１０のシリンダブロック１１は、一列に並んでいる６つのシリンダ１１ａを有している。シリンダブロック１１の近傍には、シリンダ１１ａの並ぶ方向に延びるコモンレール１２が位置し、コモンレール１２は、圧力の高められた燃料、例えば、軽油を溜める。コモンレール１２は、６つの燃料噴射弁１３に接続し、各燃料噴射弁１３は、相互に異なるシリンダ１１ａに向けて軽油を噴射する。
【００１９】
シリンダブロック１１は、シリンダ１１ａに吸入空気を供給する吸気マニホールド１４に接続し、吸気マニホールド１４におけるシリンダブロック１１とは反対側の端部が、吸入空気の流れる吸気管１５に接続している。吸気管１５には、吸気管１５におけるシリンダブロック１１側から順にインタークーラー１６と、ターボチャージャー１７を構成するコンプレッサー１７ａとが位置している。
【００２０】
シリンダブロック１１は、シリンダブロック１１における吸気マニホールド１４と向かい合う位置にて、排気マニホールド１８に接続している。排気マニホールド１８におけるシリンダブロック１１とは反対側の端部が、シリンダブロック１１から排出された排気の流れる排気管１９に接続している。排気マニホールド１８および排気管１９は、ターボチャージャー１７を構成するタービン１７ｂにそれぞれ接続することによって、相互に接続している。
【００２１】
エンジン１０は、排気に含まれる窒素酸化物（以下、ＮＯｘ）を減らすことによって排気を浄化する排気浄化装置２０を搭載している。排気浄化装置２０は、例えば、オゾン供給部２１、還元剤供給部２２、および、選択還元触媒２３を備えている。
【００２２】
オゾン供給部２１は、オゾン発生装置２１ａ、オゾン供給管２１ｂ、および、オゾン供給弁２１ｃを備えている。オゾン発生装置２１ａは、空気を用いてオゾンを生成し、オゾン発生装置２１ａの生成したオゾンを排気管１９に向けて流すオゾン供給管２１ｂに接続している。オゾン供給管２１ｂは、排気管１９の内部に位置する端部にノズルを有している。オゾン供給管２１ｂは、ノズルから排気管１９を流れる排気にオゾンを供給する。
【００２３】
オゾン供給弁２１ｃは、オゾン供給管２１ｂの状態を開放された状態と閉塞された状態との間で切り替える。オゾン供給弁２１ｃが開くとき、オゾン供給管２１ｂが開放され、オゾン供給弁２１ｃが閉じるとき、オゾン供給管２１ｂが閉塞される。なお、オゾン供給弁２１ｃは、オゾン供給弁２１ｃの開度が変わることで、オゾン発生装置２１ａからオゾン供給管２１ｂに供給されるオゾンの流量を調節することが可能であってもよい。
【００２４】
オゾン供給部２１は、排気管１９を流れる排気にオゾンを供給して、排気に含まれる一酸化窒素（以下、ＮＯ）を二酸化窒素（以下、ＮＯ２）に酸化する。
還元剤供給部２２は、還元剤貯留部２２ａ、還元剤供給管２２ｂ、および、還元剤供給弁２２ｃを備えている。還元剤貯留部２２ａは、例えば、還元剤を溜めるタンクと、タンクに溜められた還元剤を所定の流量で吐出するポンプとを備えている。還元剤は、例えば尿素水である。還元剤供給管２２ｂは、還元剤貯留部２２ａに接続し、排気管１９の内部に位置する端部にノズルを有している。還元剤供給管２２ｂは、ノズルから排気管１９を流れる排気に還元剤を供給する。
【００２５】
還元剤供給弁２２ｃは、還元剤供給管２２ｂの状態を開放された状態と閉塞された状態との間で切り替える。還元剤供給弁２２ｃが開くとき、還元剤供給管２２ｂが開放され、還元剤供給弁２２ｃが閉じるとき、還元剤供給管２２ｂが閉塞される。なお、還元剤供給弁２２ｃは、オゾン供給弁２１ｃと同様、還元剤供給弁２２ｃの開度が変わることで、還元剤貯留部２２ａから還元剤供給管２２ｂに供給される還元剤の流量を調節することが可能であってもよい。
【００２６】
選択還元触媒２３は、還元剤供給部２２の供給した還元剤を用いてＮＯ２を窒素（以下、Ｎ２）に還元する反応を促す。排気浄化装置２０では、選択還元触媒２３が、排気に含まれるＮＯ２をＮ２に還元する反応を促すことによって、選択還元触媒２３に入る前の排気におけるＮＯｘの濃度よりも、還元触媒を出た排気におけるＮＯｘの濃度が低くなる。
【００２７】
車両は、排気浄化装置２０の駆動を制御する制御装置３０も搭載している。制御装置３０は、例えば、選択還元触媒２３の温度や、排気中のＮＯｘの濃度などに基づいて、オゾン供給弁２１ｃ、および、還元剤供給弁２２ｃの駆動を制御する。
【００２８】
［オゾン発生装置の構成］
図２および図３を参照してオゾン発生装置２１ａの構成を説明する。
図２が示すように、オゾン発生装置２１ａは、コンプレッサー４１、ドライヤー４２、および、オゾン発生器４３を備えている。
【００２９】
コンプレッサー４１、ドライヤー４２、および、オゾン発生器４３は、オゾン発生装置２１ａの内部を流れる空気の流路を構成している。流路は、コンプレッサー４１、ドライヤー４２、および、オゾン発生器４３を含む。流路は、さらに、コンプレッサー４１とドライヤー４２とに接続する流路部分２１ａ１、ドライヤー４２とオゾン発生器４３とに接続する流路部分２１ａ２、および、オゾン発生器４３から延びてオゾン供給管２１ｂに接続する流路部分２１ａ３とを含む。流路において、空気の流れる方向が流通方向であり、流通方向において２つの部位の位置が比べられるとき、相対的にコンプレッサー４１に近い部位が上流であり、相対的に流路部分２１ａ３に近い部位が下流である。
【００３０】
オゾン発生器４３から延びる流路部分２１ａ３には、オゾン発生装置２１ａから出たオゾンが、オゾン発生器４３の内部に流れることを抑える逆止弁４４が位置している。
コンプレッサー４１は、大気に開放された開口部を有し、開口部から入る空気を圧縮して圧縮空気を生成し、圧縮空気をドライヤー４２に向けて出す。ドライヤー４２は、例えば、中空糸膜を備え、中空糸膜を用いてコンプレッサー４１の供給する圧縮空気を乾燥する。オゾン発生器４３は、ドライヤー４２によって乾燥された圧縮空気を用いてオゾンを生成する。
【００３１】
図３が示すように、オゾン発生器４３は、外部筐体４３ａを備え、外部筐体４３ａの内部には、ＤＡ変換器４６とオゾン発生部４３ｂとが位置している。ＤＡ変換器４６は、直流電源４５に接続し、直流電源４５の供給する直流電圧を交流電圧に変えて、交流電圧をオゾン発生器４３に印加する。
【００３２】
ＤＡ変換器４６は、例えば、ロータリースパークギャップスイッチであり、変換器筐体５１、電源端子５２、オゾン端子５３、および、回転部５４を備えている。電源端子５２は、変換器筐体５１の内部における位置が固定されて、かつ、直流電源４５に接続し、オゾン端子５３は、変換器筐体５１の内部における位置が固定されて、かつ、オゾン発生部４３ｂに接続する。
【００３３】
回転部５４は、筒形状を有して電源端子５２とオゾン端子５３との間に位置し、中心軸を中心として回転する。回転部５４は、外周面から外側に向けて延びる複数の回転端子５４ａを備え、複数の回転端子５４ａは、回転部５４の周方向にて相互に一定の間隔を空けて位置している。複数の回転端子５４ａのうち、回転部５４の中心を通る１つの直線上に位置する２つの回転端子５４ａが回転端子群を構成している。
【００３４】
ＤＡ変換器４６では、回転部５４が回転することで、１つの回転端子群を構成する一方の回転端子５４ａと電源端子５２との間の距離、および、他方の回転端子５４ａとオゾン端子５３との間の距離の各々が所定の距離以下になる。このとき、一方の回転端子５４ａと電源端子５２との間、および、他方の回転端子５４ａとオゾン端子５３との間の各々にて放電が生じる。
【００３５】
これにより、直流電源４５の電圧が、オゾン発生部４３ｂに印加される。しかも、回転端子５４ａは、回転部５４の周方向に一定の間隔を空けて位置するため、直流電源４５の電圧は、所定の間隔を空けてオゾン発生部４３ｂに印加される。つまり、ＤＡ変換器４６は、直流電源４５の直流電圧を所定の周波数を有する交流電圧に変えてオゾン発生部４３ｂに印加する。
【００３６】
ＤＡ変換器４６は、オゾン発生器４３とドライヤー４２とに接続する流路部分２１ａ２に接続し、かつ、ＤＡ変換器４６とオゾン発生器４３とに接続して、オゾン発生器４３の内部にて流路の一部を構成する流路部分４３ｃに接続している。このように、ＤＡ変換器４６は、流路にてドライヤー４２よりも下流であって、かつ、オゾン発生器４３の内部に位置している。そのため、ドライヤー４２によって乾燥された圧縮空気は、流路部分２１ａ１を通ってＤＡ変換器４６の変換器筐体５１に入り、変換器筐体５１に入った圧縮空気は、流路部分４３ｃを通ってオゾン発生部４３ｂに入る。
【００３７】
オゾン発生部４３ｂは、例えば、内部筐体６１、誘電体６２、複数の放電電極６３、および、誘電電極６４を備えている。内部筐体６１は、オゾンを生成する空間を形成し、誘電体６２は、板形状を有して、オゾンを生成する空間の内部に位置している。
【００３８】
複数の放電電極６３の各々は、１つの方向に沿って延びる帯形状を有し、複数の放電電極６３は、誘電体６２の１つの面に、相互に所定の間隔を空けて位置している。複数の放電電極６３の各々は、ＤＡ変換器４６のオゾン端子５３に接続している。誘電電極６４は、板形状を有して、誘電体６２のうち、放電電極６３の位置する面と向かい合う面に位置している。
【００３９】
オゾン発生部４３ｂでは、複数の放電電極６３と誘電電極６４との間に交流電圧が印加されることによって、複数の放電電極６３の各々の周りにプラズマが生成される。これにより、圧縮空気からオゾンが生成される。
【００４０】
［オゾン発生装置の作用］
オゾン発生装置２１ａでは、ドライヤー４２によって乾燥された圧縮空気が、ＤＡ変換器４６の変換器筐体５１を通って、オゾン発生部４３ｂに入る。そのため、変換器筐体５１の内部が、変換器筐体５１を流れる圧縮空気によって冷却される。それゆえに、ＤＡ変換器４６にて生じる放電によって、ＤＡ変換器４６の温度、特に、電源端子５２、オゾン端子、および、複数の回転端子５４ａの温度が高まることが抑えられる。結果として、各端子の温度が高まることによって、各端子の状態が変わることが抑えられる。
【００４１】
ＤＡ変換器４６は、空気の流れる流路のうち、ドライヤー４２からオゾン発生器４３のオゾンを生成する空間に向かう部分に位置している。そのため、ＤＡ変換器４６を冷却するための構造を設けることによってオゾン発生装置２１ａが大型化することが抑えられる。
【００４２】
以上説明したように、第１実施形態のオゾン発生装置によれば、以下に列挙する効果を得ることができる。
（１）ドライヤー４２により乾燥された空気の流通によってＤＡ変換器４６が冷却されるため、ＤＡ変換器４６の温度を高まりにくくすることができる。
【００４３】
（２）ＤＡ変換器４６は、ドライヤー４２からオゾンを発生する空間に向かう途中に位置する。そのため、ＤＡ変換器を冷却するための構造として、オゾン発生器と並列に設けられて、かつ、オゾン発生器を迂回する流路や、オゾン発生器と並列に設けられて、かつ、外部に繋がる流路を備える構成と比べて、オゾン発生装置が大型化することが抑えられる。
【００４４】
なお、上述した第１実施形態は、以下のように適宜変更して実施することもできる。
・ＤＡ変換器４６は、外部筐体４３ａの内部で、ドライヤー４２とオゾン発生器４３とを接続する流路部分２１ａ２から分岐した分岐流路に位置してもよい。こうした構成では、分岐流路は、流路部分２１ａ２から分岐して、かつ、流路部分２１ａ２に接続してもよいし、分岐流路は、流路部分２１ａ２から分岐して、かつ、オゾン発生部４３ｂを迂回して流路部分２１ａ３に接続してもよい。すなわち、分岐流路は、流路部分２１ａ２の一部を迂回する流路であってもよいし、流路部分２１ａ２の一部、オゾン発生器４３、および、流路部分２１ａ３の一部を迂回する流路であってもよい。あるいは、分岐流路は、流路部分２１ａ２から外部に繋がる分岐流路であってもよい。いずれの構成であっても、ドライヤー４２により乾燥された空気の流通によってＤＡ変換器４６が冷却されるため、ＤＡ変換器４６の温度が高まりにくくはなる。
【００４５】
・ＤＡ変換器４６は、オゾン発生器４３の外部筐体４３ａの内部に位置していなくともよく、オゾン発生器４３とは独立していてもよい。こうした構成では、オゾン発生器４３において、ＤＡ変換器４６は、ドライヤー４２よりも下流であって、かつ、オゾン発生器４３を超えない部分に位置していればよい。
【００４６】
つまり、ＤＡ変換器４６は、オゾン発生器４３の外側であって、かつ、流路部分２１ａ２の途中に位置していてもよい。あるいは、ＤＡ変換器４６は、流路部分２１ａ２から分岐した分岐流路であって、ドライヤー４２とオゾン発生器４３との間に位置する分岐流路、あるいは、オゾン発生器４３を迂回して流路部分２１ａ３に接続する分岐流路のいずれかに位置してもよい。
【００４７】
いずれの構成であっても、ドライヤー４２によって乾燥された空気の流通によってＤＡ変換器４６が冷却されるため、ＤＡ変換器４６の温度が高まりにくくなる。
・ＤＡ変換器４６は、ロータリースパークギャップスイッチでなくともよく、例えば、スパークギャップスイッチ、テスラコイル、および、半導体スイッチなどであってもよい。要は、直流電圧を交流電圧に変えるために、オンの状態とオフの状態とを所定の時間間隔で繰り返すＤＡ変換器であればよい。こうした構成であれば、ＤＡ変換器４６がオンの状態になるたびに、少なからずＤＡ変換器４６において熱が生じる。そのため、ＤＡ変換器４６が流路に位置する構成であれば、ＤＡ変換器４６の温度が高まることが抑えられる。
【００４８】
・オゾン発生器４３は無声放電方式の発生器であればよく、上述した沿面放電型のオゾン発生器に限らず、平行平板型のオゾン発生器でもよい。
・選択還元触媒２３は、尿素を用いてＮＯｘを選択的に還元する反応を促す触媒ではなく、炭化水素を用いてＮＯｘを選択的に還元する反応を促す触媒であってもよい。
【００４９】
・排気浄化装置２０は選択還元触媒２３に限らず、排気の流れる方向において、オゾン発生装置２１ａよりも下流にディーゼル微粒子捕集フィルター（以下、ＤＰＦ）を備える構成でもよい。あるいは、排気浄化装置２０は、オゾン発生装置２１ａよりも下流に選択還元触媒２３とＤＰＦとの両方を備える構成でもよい。
【００５０】
［第２実施形態］
図４を参照して本開示のオゾン発生装置を具体化した第２実施形態を説明する。第２実施形態は、上述した第１実施形態と比べて、オゾン発生装置を構成する要素と、オゾン発生装置におけるＤＡ変換器の位置とが主に異なる。そのため、以下では、こうした相違点を詳しく説明し、第２実施形態において第１実施形態と同等の構成に対して第１実施形態と同じ符号を付すことによって、詳しい説明を省略する。
【００５１】
［オゾン発生装置の構成］
図４を参照してオゾン発生装置の構成を説明する。
図４が示すように、オゾン発生装置２１ａは、コンプレッサー４１、ドライヤー４２、および、オゾン発生器４３に加えて、エアタンク７１、および、酸素富化器７２を備えている。オゾン発生装置２１ａにおいて、エアタンク７１と酸素富化器７２とは、ドライヤー４２の下流、かつ、オゾン発生器４３の上流に位置し、エアタンク７１は、酸素富化器７２の上流に位置している。
【００５２】
エアタンク７１は、ドライヤー４２で乾燥された圧縮空気を溜めて、オゾン発生器４３に供給される圧縮空気の流量を変わりにくくする。酸素富化器７２は、例えば中空糸膜で構成された酸素富化膜を有して、エアタンク７１を出た圧縮空気よりも酸素の濃度の高い酸素富化空気Ｇｏと、エアタンク７１を出た圧縮空気よりも窒素濃度の高い窒素富化空気Ｇｎとに、エアタンク７１から供給された圧縮空気を分ける。
【００５３】
オゾン発生装置２１ａにおいて、コンプレッサー４１、ドライヤー４２、エアタンク７１、酸素富化器７２、および、オゾン発生器４３は、オゾン発生装置２１ａの内部を流れる空気の流路を構成している。
【００５４】
流路は、コンプレッサー４１、ドライヤー４２、エアタンク７１、および、オゾン発生器４３を含む。流路は、コンプレッサー４１とドライヤー４２とに接続する流路部分２１ａ１、および、オゾン発生器４３から延びてオゾン供給管２１ｂに接続する流路部分２１ａ３とを含む。流路は、さらに、ドライヤー４２とエアタンク７１とに接続する流路部分８１、エアタンク７１と酸素富化器７２とに接続する流路部分８２、および、酸素富化器７２とオゾン発生器４３とに接続する流路部分８３を含む。
【００５５】
酸素富化器７２とオゾン発生器４３とに接続する流路部分８３は、酸素富化器７２の内部で生成される酸素富化空気Ｇｏと窒素富化空気Ｇｎとのうち、酸素富化空気Ｇｏをオゾン発生器４３に向けて流す酸素富化空気流路である。
【００５６】
流路において、コンプレッサー４１、ドライヤー４２、エアタンク７１、オゾン発生器４３、および、上述した４つの流路部分２１ａ１，８１，８２，８３が、オゾン発生器４３に向けてオゾンを生成するための空気を流すための流路である主流路を構成している。
【００５７】
一方で、流路は、さらに、酸素富化器７２とドライヤー４２とに接続する分岐流路８４を含み、分岐流路８４は、酸素富化器７２で生成された窒素富化空気Ｇｎをドライヤー４２に向けて流す窒素富化空気流路である。分岐流路８４を通じてドライヤー４２に供給された窒素富化空気Ｇｎは、ドライヤー４２の内部の水分をドライヤー４２の外部にパージするパージガスとして機能する。分岐流路８４は、上述した主流路から分岐した分岐流路の一例である。
【００５８】
分岐流路８４の途中には、上述したＤＡ変換器４６が位置している。このように、第２実施形態では、第１実施形態のように、オゾン発生器４３の内部にＤＡ変換器４６が位置するのではなく、ＤＡ変換器４６は、オゾン発生器４３から独立した状態で、流路に位置している。
【００５９】
分岐流路８４の途中であって、ＤＡ変換器４６とドライヤー４２との間には、分岐流路８４を流れてドライヤー４２に供給される窒素富化空気Ｇｎの流量を調節する流量調節弁８５が位置している。
【００６０】
［オゾン発生装置の作用］
オゾン発生器４３に交流電圧を印加するＤＡ変換器４６は、窒素富化空気を流す分岐流路８４の途中に位置している。このように、ＤＡ変換器４６は、主流路から分岐した分岐流路に位置するため、オゾン発生装置２１ａにおける流路の途中にＤＡ変換器４６が位置しても、オゾン発生器４３に供給される圧縮空気の流量が、ＤＡ変換器によって影響されにくくなる。それゆえに、オゾン発生器４３でのオゾンの生成が、ＤＡ変換器４６によって影響されにくくなる。
【００６１】
また、流量調節弁８５は、分岐流路８４のうち、ＤＡ変換器４６とドライヤー４２との間の部分に位置している。そのため、流量調節弁８５によって流量が調節される前の窒素富化空気ＧｎがＤＡ変換器４６に供給される。それゆえに、流量調節弁８５の開度が小さくされても、ＤＡ変換器４６を通過する窒素富化空気Ｇｎの流量は小さくならないため、ＤＡ変換器４６が冷却されにくくなることが抑えられる。
【００６２】
以上説明したように、第２実施形態のオゾン発生装置によれば、上述した（１）に準じた効果に加えて、以下に記載の効果を得ることができる。
（３）ＤＡ変換器４６が分岐流路８４に位置するため、流路の途中にＤＡ変換器４６が位置しても、オゾン発生器４３でのオゾンの生成が、ＤＡ変換器４６によって影響されにくくなる。
【００６３】
なお、上述した第２実施形態は、以下のように適宜変更して実施することもできる。
・流量調節弁８５は、分岐流路８４のうち、ＤＡ変換器４６とドライヤー４２との間の部分ではなく、酸素富化器７２とＤＡ変換器４６との間の部分に位置してもよい。こうした構成であっても、ＤＡ変換器４６は、分岐流路８４の途中に位置するため、上述した（１）および（３）の各々に準じた効果を得ることはできる。
【００６４】
・ドライヤー４２はエアタンク７１の上流ではなく、エアタンク７１の下流に位置してもよい。こうした構成であっても、ＤＡ変換器４６が、流路におけるドライヤー４２の下流、かつ、オゾン発生器４３を超えない部位に位置していれば、上述した（１）および（３）の各々に準じた効果を得ることはできる。あるいは、エアタンク７１は省略されてもよい。
【００６５】
・図５が示すように、ＤＡ変換器４６は、上述した主流路から分岐した分岐流路８４ではなく、主流路に位置してもよい。ＤＡ変換器４６が主流路に位置する構成であれば、例えば、図５が示す第１部位であって、酸素富化器７２とオゾン発生器４３との間の流路部分８３の途中に位置してもよいし、図５が示す第２部位であって、エアタンク７１と酸素富化器７２との間の流路部分８２の途中に位置してもよい。あるいは、ＤＡ変換器４６は、図５が示す第３部位であって、ドライヤー４２とエアタンク７１との間の流路部分８１の途中に位置してもよい。こうした構成であっても、ＤＡ変換器４６は、オゾン発生装置２１ａにおける空気の流路に位置するため、ＤＡ変換器４６は、ＤＡ変換器４６を流れる空気によって冷却される。それゆえに、上述した（１）に準じた効果を得ることはできる。
【００６６】
・図５が示すように、ＤＡ変換器４６は、主流路から分岐した分岐流路に位置するとき、図５における第１部位から第３部位のいずれかにおいて、主流路から分岐した分岐流路に位置してもよい。こうした構成であっても、ＤＡ変換器４６は、ＤＡ変換器４６を流れる空気によって冷却されるため、上述した（１）に準じた効果を得ることはできる。なお、分岐流路が第１部位において分岐する流路、すなわち、流路部分８３から分岐する流路であるとき、分岐流路は、流路部分８３から外部に繋がる分岐流路であってもよい。
【００６７】
・図５が示す構成においても、ドライヤー４２はエアタンク７１の上流ではなく、エアタンク７１の下流に位置してもよい。こうした構成であっても、ＤＡ変換器４６が、流路におけるドライヤー４２の下流、かつ、オゾン発生器４３を超えない部位に位置していれば、上述した（１）に準じた効果を得ることはできる。あるいは、エアタンク７１は省略されてもよい。
【００６８】
・図６が示すように、ＤＡ変換器４６は、主流路から分岐した分岐流路に位置するとき、上述した分岐流路８４以外の部分に位置してもよい。ＤＡ変換器４６は、例えば、図６が示す第１部位であって、流路部分８３と流路部分２１ａ３とに接続する分岐流路８６の途中に位置してもよく、ＤＡ変換器４６が分岐流路８６に位置するとき、分岐流路８６におけるＤＡ変換器４６よりも下流には、逆止弁８６ａが位置していることが好ましい。逆止弁８６ａは、オゾン発生器４３から出たオゾンが、分岐流路８６に流れることを抑える。
【００６９】
あるいは、ＤＡ変換器４６は、図６が示す第２部位であって、流路部分８３と流路部分８２とに接続する分岐流路８７の途中に位置してもよい。あるいは、ＤＡ変換器４６は、図６が示す第３部位であって、流路部分８２と流路部分８１とに接続する分岐流路８８の途中に位置してもよい。
【００７０】
いずれの構成であっても、ＤＡ変換器４６は、オゾン発生装置２１ａにおける空気の流路に位置するため、ＤＡ変換器４６は、ＤＡ変換器４６を流れる空気によって冷却される。そのため、上述した（１）および（３）の各々に準じた効果を得ることはできる。
【００７１】
なお、図６では、ＤＡ変換器４６の位置を説明する便宜上、分岐流路８４および流量調節弁８５の図示が省略されている。
・図６が示す構成において、ＤＡ変換器４６は、２つの端部のうち、一方の端部が流路部分８１に接続し、かつ、他方の端部が流路部分８３に接続する分岐流路に位置してもよい。あるいは、ＤＡ変換器４６は、２つの端部のうち、一方の端部が流路部分８２に位置し、かつ、他方の端部が流路部分２１ａ３に接続する分岐流路に位置してもよい。さらには、ＤＡ変換器４６は、２つの端部のうち、一方の端部が流路部分８１に接続し、かつ、他方の端部が流路部分２１ａ３に接続する分岐流路に位置してもよい。こうした構成であっても、乾燥された圧縮空気がＤＡ変換器４６に供給される構成であれは、上述した（１）に準じた効果を得ることはできる。
【００７２】
・図６が示す構成においても、ドライヤー４２はエアタンク７１の上流ではなく、エアタンク７１の下流に位置してもよい。こうした構成であっても、ＤＡ変換器４６が、流路におけるドライヤー４２の下流、かつ、オゾン発生器４３を超えない部位に位置していれば、上述した（１）および（３）の各々に準じた効果を得ることはできる。あるいは、エアタンク７１は省略されてもよい。
【００７３】
・図６が示す構成においては、オゾン発生装置２１ａが、上述した３つの分岐流路８６，８７，８８のいずれを備える場合であっても、以下のような構成とすることができる。すなわち、オゾン発生装置２１ａは、各流路部分におけるＤＡ変換器４６よりも上流の部位と、ＤＡ変換器４６よりも下流の部位との各々に、流路部分の状態を開放された状態と閉塞された状態との間で変える切替弁が位置していてもよい。
【００７４】
こうした構成では、オゾン発生器４３にてオゾンが生成されているとき、各切替弁が、ＤＡ変換器４６が位置する流路部分を閉塞する一方、オゾン発生器４３にてオゾンが生成されていないとき、各切替弁が、ＤＡ変換器４６が位置する流路部分を開放すればよい。そして、各切替弁が、ＤＡ変換器４６が位置する流路部分を開放しているとき、直流電源４５からオゾン発生器４３への電圧の印加が停止された状態で、コンプレッサー４１からオゾン発生器４３に向けた圧縮空気の供給が行われればよい。
【００７５】
これにより、オゾン発生器４３にてオゾンが生成されていないときに、ＤＡ変換器４６の位置する流路部分に圧縮空気が供給される。そのため、ＤＡ変換器４６を冷却するための構成によって、オゾン発生器４３でのオゾンの生成が影響されにくくなる。
【００７６】
なお、こうした切替弁を有しない構成であっても、直流電源４５からオゾン発生器４３への電圧の印加が停止された状態で、コンプレッサー４１からオゾン発生器４３に向けた圧縮空気の供給が行われてもよい。これにより、オゾン発生器４３でのオゾンの発生が行われていないときに、ＤＡ変換器４６が圧縮空気によって冷却される。
【００７７】
［第３実施形態］
図７を参照してオゾン発生装置を具体化した第３実施形態を説明する。第３実施形態は、第１実施形態と比べて、オゾン発生装置を冷却する構成を備える点が主に異なる。そのため、以下では、こうした相違点を詳しく説明し、第３実施形態において第１実施形態と同等の構成に対して第１実施形態と同じ符号を付すことによって、詳しい説明を省略する。
【００７８】
［オゾン発生装置の構成］
図７を参照してオゾン発生装置の構成を説明する。
図７が示すように、オゾン発生装置２１ａは、コンプレッサー４１、ドライヤー４２、オゾン発生器４３、および、直流電源４５を備えている。直流電源４５は、ドライヤー４２の下流、かつ、オゾン発生器４３の上流に位置している。ドライヤー４２は、例えば、大気圧での露点が−１０℃以下になる程度に、コンプレッサー４１から供給された圧縮空気を乾燥する。
【００７９】
コンプレッサー４１、ドライヤー４２、直流電源４５、および、オゾン発生器４３は、オゾン発生装置２１ａの内部を流れる空気の流路を構成している。流路は、コンプレッサー４１、ドライヤー４２、直流電源４５、および、オゾン発生器４３を含む。流路は、上述した３つの流路部分２１ａ１，２１ａ２，２１ａ３を含んでいる。流路は、さらに、ドライヤー４２とオゾン発生器４３との間に位置する分岐流路９１を含み、分岐流路９１の２つの端部の各々は、ドライヤー４２とオゾン発生器４３との間に位置する流路部分２１ａ２に接続している。
【００８０】
オゾン発生装置２１ａは、冷却器１０１と、冷却器１０１に接続する冷却流路１０２とを備えている。冷却流路１０２は、２つの端部を有し、２つの端部の各々が冷却器１０１に接続し、冷却流路１０２は、２つの端部の間に、直流電源４５の筐体の内部を通る流路部分１０２ａと、オゾン発生器４３の筐体の内部を通る流路部分１０２ｂとを含んでいる。
【００８１】
冷却器１０１は、冷却流路１０２の内部に冷媒、例えば、冷却水を循環させ、冷却器１０１は、例えば、オゾン発生器４３を通る流路部分１０２ｂから、直流電源４５を通る流路部分１０２ａに向けて冷却水を流す。
【００８２】
［オゾン発生装置の作用］
直流電源４５は、空気の流路を構成し、かつ、流路のうちで、ドライヤー４２よりも下流に位置している。そのため、直流電源４５の内部は、乾燥された圧縮空気によって冷却され、かつ、大気圧では直流電源４５の内部にて結露が生じない程度にまで乾燥される。それゆえに、冷却水の流れる冷却流路１０２の一部が直流電源４５の内部を通っても、直流電源４５の内部を通る冷却流路１０２に結露が生じない状態で、直流電源４５の内部が冷却される。
【００８３】
このように、直流電源４５の内部を乾燥させることにより、結露による漏電を抑えながら、直流電源４５を冷却水によって冷却することができる。結果として、例えば、直流電源４５の筐体の外周面に位置するヒートシンクや、ヒートシンクに空気を送るためのファンを有する構成と比べて、直流電源４５を冷却するための構成が大型化することが抑えられる。
【００８４】
以上説明したように、第３実施形態のオゾン発生装置によれば、上述した（１）に準じた効果に加えて、以下の効果を得ることができる。
（４）直流電源４５が、ドライヤー４２によって乾燥された空気の流路を構成するため、直流電源４５の内部の雰囲気における露点を低くすることができる。それゆえに、直流電源４５を冷却する冷却流路１０２が直流電源４５の内部を通っても、冷却流路１０２に結露が生じることが抑えられる。結果として、結露による漏電が抑えられながら、直流電源４５が冷却される。
【００８５】
なお、上述した第３実施形態は、以下のように適宜変更して実施することもできる。
・直流電源４５は、分岐流路９１に位置していなくともよく、直流電源４５は、流路部分２１ａ２の途中に位置してもよいし、流路部分２１ａ２から分岐した流路であって、かつ、オゾン発生器４３を迂回して流路部分２１ａ３に接続する流路に位置してもよい。こうした構成であっても、直流電源４５に乾燥した圧縮空気が供給され、かつ、直流電源４５が冷却水によって冷却される以上は、上述した（４）に準じた効果を得ることはできる。
【００８６】
・直流電源４５は、オゾン発生器４３の内部、すなわち、オゾン発生器４３の有する外部筐体４３ａの内部に位置してもよい。こうした構成であっても、直流電源４５に乾燥した圧縮空気が供給され、かつ、直流電源４５が冷却水によって冷却される以上は、上述した（４）に準じた効果を得ることはできる。
【００８７】
・直流電源４５とＤＡ変換器４６との両方が、分岐流路９１の途中に位置してもよい。こうした構成では、ＤＡ変換器４６が直流電源４５の下流に位置していることが好ましい。こうした構成によっても、直流電源４５およびＤＡ変換器４６に乾燥した圧縮空気が供給され、かつ、直流電源４５が冷却水によって冷却される以上は、上述した（１）および（４）の各々に準じた効果を得ることはできる。
【００８８】
・直流電源４５、および、ＤＡ変換器４６の各々は、ドライヤー４２よりも下流、かつ、オゾン発生器４３を超えない部位であれば、流路部分２１ａ２の途中に位置してもよいし、流路部分２１ａ２から分岐した分岐流路に位置してもよい。なお、直流電源４５とＤＡ変換器４６とが流路において離れて位置するとき、直流電源４５の下流にＤＡ変換器４６が位置することが好ましい。
【００８９】
・直流電源４５やＤＡ変換器４６が、分岐流路９１あるいはその他の分岐流路に位置するとき、各分岐流路における直流電源４５あるいはＤＡ変換器４６よりも上流の部位と、下流の部位との各々に、分岐流路の状態を開放された状態と閉塞された状態との間で変える切替弁が位置してもよい。
【００９０】
こうした構成では、オゾン発生器４３にてオゾンが生成されているとき、切替弁が、直流電源４５あるいはＤＡ変換器４６が位置する流路部分を閉塞する。一方で、オゾン発生器４３にてオゾンが生成されていないとき、切替弁が、直流電源４５あるいはＤＡ変換器４６が位置する流路部分を開放する。そして、切替弁が、直流電源４５あるいはＤＡ変換器４６が位置する流路部分を開放しているとき、直流電源４５からオゾン発生器４３への電圧の印加が停止された状態で、コンプレッサー４１からオゾン発生器４３に向けた圧縮空気の供給が行われればよい。
【００９１】
これにより、オゾン発生器４３にてオゾンが生成されていないときに、直流電源４５あるいはＤＡ変換器４６の位置する流路部分に圧縮空気が供給される。そのため、直流電源４５あるいはＤＡ変換器４６を冷却するための構成によって、オゾン発生器４３でのオゾンの生成が影響されにくくなる。
【００９２】
なお、こうした切替弁を有しない構成であっても、直流電源４５からオゾン発生器４３への電圧の印加が停止された状態で、コンプレッサー４１からオゾン発生器４３に向けた圧縮空気の供給が行われてもよい。これにより、オゾン発生器４３でのオゾンの発生が行われていないときに、ＤＡ変換器４６が圧縮空気によって冷却される。
【００９３】
・冷却器１０１は、直流電源４５を通る流路部分１０２ａから、オゾン発生器４３を通る流路部分１０２ｂに向けて冷却水を流してもよい。こうした構成であっても、直流電源４５が冷却水によって冷却される以上は、上述した（４）に準じた効果を得ることはできる。
【００９４】
・図８が示すように、冷却流路１０２は、上述した２つの流路部分１０２ａ，１０２ｂに加えて、流路部分２１ａ２のうち、ドライヤー４２よりも下流であって、分岐流路９１よりも上流である部分を冷却する流路部分１０２ｃを含んでもよい。これにより、ドライヤー４２から出た圧縮空気の温度を低くすることもできる。
【００９５】
・冷却流路１０２は、図８が示す部分のうち、オゾン発生器４３を冷却する流路部分１０２ｂを備える一方で、直流電源４５を冷却する流路部分１０２ａと、ドライヤー４２の下流の流路部分２１ａ２を冷却する流路部分１０２ｃを備えていない構成でもよい。こうした構成であっても、冷却器１０１および冷却流路１０２によれば、オゾン発生器４３を冷却することはできる。
【００９６】
・冷却流路１０２は、図８が示す部分のうち、直流電源４５を冷却する流路部分１０２ａを備える一方で、オゾン発生器４３を冷却する流路部分１０２ｂと、ドライヤー４２の下流の流路部分２１ａ２を冷却する流路部分１０２ｃを備えていない構成でもよい。こうした構成であっても、冷却器１０１および冷却流路１０２によれば、直流電源４５を冷却することはできるため、上述した（４）に準じた効果を得ることはできる。
【００９７】
・冷却流路１０２は、図８が示す部分のうち、ドライヤー４２の下流の流路部分２１ａ２を冷却する流路部分１０２ｃを備える一方で、オゾン発生器４３を冷却する流路部分１０２ｂと、直流電源４５を冷却する流路部分１０２ａとを備えていない構成でもよい。こうした構成であっても、ドライヤー４２を出た圧縮空気を冷却することはできる。
【００９８】
・冷却流路１０２は、図８が示す部分のうち、オゾン発生器４３を冷却する流路部分１０２ｂと、ドライヤー４２の下流の流路部分２１ａ２を冷却する流路部分１０２ｃとを備えている一方で、直流電源４５を冷却する流路部分１０２ａを備えていない構成でもよい。こうした構成であっても、オゾン発生器４３を冷却すること、および、ドライヤー４２を出た圧縮空気を冷却することはできる。
【００９９】
・冷却流路１０２は、図８が示す部分のうち、直流電源４５を冷却する流路部分１０２ａと、ドライヤー４２の下流の流路部分２１ａ２を冷却する流路部分１０２ｃとを備えている一方で、オゾン発生器４３を冷却する流路部分１０２ｂを備えていない構成でもよい。こうした構成であっても、直流電源４５を冷却すること、および、ドライヤー４２から出た圧縮空気を冷却することはできる。
【０１００】
・図８の示す冷却流路１０２は、冷却流路１０２のうちで、冷媒の流れる部分を切り替えることのできる切替弁を備える構成でもよい。冷却流路１０２は、例えば、複数の切替弁を備えることで、冷却流路１０２のうち、３つの流路部分１０２ａ，１０２ｂ，１０２ｃの少なくとも１つに冷媒が流れる状態に変えることができる。なお、切替弁は、上述した制御装置３０によって、開いた状態と閉じた状態との間で変えられる構成であればよい。こうした構成では、制御装置３０は、例えば、オゾン発生器４３の温度、直流電源４５の温度、および、圧縮空気の温度に基づいて、各切替弁の状態を開いた状態と閉じた状態との間で変えればよい。
【０１０１】
・冷媒は、冷却水でなくともよく、例えば、フッ素系の不活性液体が用いられてもよい。要は、冷却流路１０２の内部を流れて、直流電源４５などを冷却することのできる液体であればよい。
【０１０２】
・第３実施形態と第２実施形態の構成とを組み合わせて実施してもよい。すなわち、第２実施形態のオゾン発生装置２１ａにおいて、直流電源４５は、分岐流路８４の途中に位置してもよいし、上述した主流路のうち、ドライヤー４２よりも下流、かつ、オゾン発生器４３を超えない部位に位置してもよい。さらには、直流電源４５は、図６が示す３つの分岐流路８６，８７，８８のいずれかに位置してもよい。
【０１０３】
・第３実施形態と、図５が示す第２実施形態の変形例の構成とを組み合わせて実施してもよい。すなわち、第２実施形態の変形例におけるオゾン発生装置２１ａにおいて、直流電源４５は、分岐流路８４の途中に位置してもよいし、上述した主流路のうち、ドライヤー４２よりも下流、かつ、オゾン発生器４３を超えない部位に位置してもよい。さらには、直流電源４５は、図６が示す３つの分岐流路８６，８７，８８のいずれかに位置してもよい。
【０１０４】
・第３実施形態と、図６が示す第２実施形態の変形例の構成とを組み合わせて実施してもよい。すなわち、第２実施形態の変形例におけるオゾン発生装置２１ａにおいて、直流電源４５は、分岐流路８４の途中に位置してもよいし、上述した主流路のうち、ドライヤー４２よりも下流、かつ、オゾン発生器４３を超えない部位に位置してもよい。さらには、直流電源４５は、図６が示す３つの分岐流路８６，８７，８８のいずれかに位置してもよい。
【０１０５】
［他の変形例］
なお、上述した第１実施形態から第３実施形態の各々は、以下のように適宜変更して実施することもできる。
【０１０６】
・図９が示すように、第１実施形態および第３実施形態の各々のオゾン発生装置２１ａは、コンプレッサー４１、ドライヤー４２、および、オゾン発生器４３に加えて、酸素富化器７２と、ボルテックスチューブ１１１とを備えてもよい。酸素富化器７２は、ドライヤー４２から供給された圧縮空気を酸素富化空気Ｇｏと、窒素富化空気Ｇｎとに分ける。ボルテックスチューブ１１１には、酸素富化器７２から窒素富化空気Ｇｎが供給され、ボルテックスチューブ１１１は、相対的に温度の高い暖気Ｇｈと、相対的に温度の低い冷気Ｇｃとに窒素富化空気Ｇｎを分ける。
【０１０７】
オゾン発生装置２１ａにおいて、コンプレッサー４１、ドライヤー４２、オゾン発生器４３、酸素富化器７２、および、ボルテックスチューブ１１１は、空気の流路を構成している。流路は、コンプレッサー４１、ドライヤー４２、オゾン発生器４３、酸素富化器７２、および、ボルテックスチューブ１１１を含み、かつ、上述した２つの流路部分２１ａ１，２１ａ３を含む。
【０１０８】
流路は、さらに、ドライヤー４２と酸素富化器７２とに接続する流路部分１２１、酸素富化器７２とオゾン発生器４３とに接続して、酸素富化空気Ｇｏを流す流路部分１２２、および、酸素富化器７２とボルテックスチューブ１１１とに接続して、窒素富化空気Ｇｎを流す流路部分１２３を含む。流路は、さらに、ボルテックスチューブ１１１とドライヤー４２とに接続して、暖気Ｇｈを流す流路部分１２４、および、ボルテックスチューブ１１１とオゾン発生器４３とに接続して、冷気Ｇｃを流す流路部分１２５を含む。
【０１０９】
ボルテックスチューブ１１１から出る気体のうち、暖気Ｇｈは、ドライヤー４２をパージするパージガスとして機能し、冷気Ｇｃは、オゾン発生器４３を冷却する冷却ガスとして機能する。
【０１１０】
第３実施形態のオゾン発生装置２１ａと、図９が示す構成とを組み合わせて実施するときには、酸素富化空気Ｇｏの流れる流路部分１２２に、直流電源４５が位置する分岐流路が接続していればよい。なお、図９が示す構成は、上述した第１実施形態の変形例、および、第３実施形態の変形例の各々とも組み合わせて実施することができる。
【０１１１】
また、第２実施形態のオゾン発生装置２１ａと、上述したボルテックスチューブ１１１とを組み合わせる実施するときには、図９が示す構成において、ドライヤー４２と酸素富化器７２とに接続する流路部分１２１の途中に、エアタンク７１が位置していればよい。さらには、ボルテックスチューブ１１１は、上述した第２実施形態の変形例の各々とも組み合わせて実施することができる。
【符号の説明】
【０１１２】
１０…エンジン、１１…シリンダブロック、１１ａ…シリンダ、１２…コモンレール、１３…燃料噴射弁、１４…吸気マニホールド、１５…吸気管、１６…インタークーラー、１７…ターボチャージャー、１７ａ，４１…コンプレッサー、１７ｂ…タービン、１８…排気マニホールド、１９…排気管、２０…排気浄化装置、２１…オゾン供給部、２１ａ…オゾン発生装置、２１ａ１，２１ａ２，２１ａ３，８１，８２，８３，１０２ａ，１０２ｂ，１０２ｃ，１２１，１２２，１２３，１２４，１２５…流路部分、２１ｂ…オゾン供給管、２１ｃ…オゾン供給弁、２２…還元剤供給部、２２ａ…還元剤貯留部、２２ｂ…還元剤供給管、２２ｃ…還元剤供給弁、２３…選択還元触媒、３０…制御装置、４２…ドライヤー、４３…オゾン発生器、４３ａ…外部筐体、４３ｂ…オゾン発生部、４４…逆止弁、４５…直流電源、４６…ＤＡ変換器、５１…変換器筐体、５２…電源端子、５３…オゾン端子、５４…回転部、５４ａ…回転端子、６１…内部筐体、６２…誘電体、６３…放電電極、６４…誘電電極、７１…エアタンク、７２…酸素富化器、８４，８６，８７，８８，９１…分岐流路、８５…流量調節弁、１０１…冷却器、１０２…冷却流路、１１１…ボルテックスチューブ。
【図１】
2015160798.tif 000003
【図２】
2015160798.tif 000004
【図３】
2015160798.tif 000005
【図４】
2015160798.tif 000006
【図５】
2015160798.tif 000007
【図６】
2015160798.tif 000008
【図７】
2015160798.tif 000009
【図８】
2015160798.tif 000010
【図９】
2015160798.tif 000011